(57)【要約】      （修正有）【課題】釣り具において、ルアーにプロペラを装着し回転させると同時に本体を振動させることで釣果の向上を図るルアーを提供する。【解決手段】泳層を調節するためのプレート１を本体として、それにプロペラ３を装着したシャフト２を接続する。接続の方法としては、プレート１に穴を開け、そこにシャフト２の末端に設けたループを通すことが簡易であり、固定された形ではなく可動的に接続することでシャフト２がルアーの進行方向と自ずと平行になり、常にプロペラ３の良い回転が得られる。プレート１を挟んでシャフト２の接続部のおよそ反対側にラインアイ５を設ける。プレート１自体を重くすることでキャスタビリティを得るか、あるいはプレート１にウエイト４を付加する。【選択図】図１
0003169763.tif 000002
【実用新案登録請求の範囲】
【請求項１】
薄い板状のプレート１を本体とし、そのプレートの縁に穴を設け、末端をループ状にしたシャフト２のループを穴に通してシャフト２と本体を可動的に接続し、シャフト２を軸としてプロペラ３を装着したルアー。
【請求項２】
プレート１の形をおよそ長方形あるいは長方形の四隅を丸めた形とし、一つの長辺の側にラインアイ５を、もう一方の長辺の側にウエイト４およびシャフト２の接続部を配置した、請求項１に記載のルアー。
【請求項３】
プレート１の形について、およそ長方形あるいは長方形の四隅を丸めた形から、さらに、長方形が凹状の窪みをもつような形で一つの長辺を湾曲させた形とし、窪ませた側にラインアイ５を、もう一方の長辺の側にウエイト４およびシャフト２の接続部を配置した、請求項１に記載のルアー。
【請求項４】
プレート１の形をおよそ長方形あるいは長方形の四隅を丸めた形とし、一つの長辺の側にラインアイ５を、もう一方の長辺の側にウエイト４およびシャフト２の接続部を配置し、シャフト２の長さをおよそプレート１の長軸方向の長さと同程度とした、請求項１に記載のルアー。
【請求項５】
薄い板状のフィン８を本体のプレート１に直交する形でラインアイ８の付近に設けた、請求項１に記載のルアー。
【考案の詳細な説明】
【技術分野】
【０００１】  本考案は釣り具のルアーに関する。
【背景技術】
【０００２】  本考案は、プロペラ付きのシャフトの泳層を調整するためにプレートを用いたことからできあがっってきたものであり、その点で、トローリングなどに用いる泳層調節用のフィンを背景技術とすると言えるかもしれない。
また、ルアーのパーツとして用いられるプロペラは基本的な背景技術である。
【考案の開示】
【考案が解決しようとする課題】
【０００３】  本考案の開発は、ブラックバスがルアー本体にではなく本体に付属するプロペラのみに集中的に興味を示していることに気付いたことから始まり、本体を除外してプロペラのみをブラックバスの前に提示することを課題としたものである。つまり、本体の存在感をなくすと同時に、プロペラの水中での泳層や動きをコントロールすることが本考案の解決するべき課題である。
また、プロペラは水中においてかなりの抵抗を伴うものであり、プロペラを装着し回転させると同時に本体を振動させることは、従来より解決が困難な課題となっていた。小さな本体によってそれを解決することは特に困難な課題であった。
【課題を解決するための手段】
【０００４】  泳層を調節するためのプレート１を本体として、それにプロペラ３を装着したシャフト２を接続する。接続の方法としては、プレート１に穴を開け、そこにシャフト２の末端に設けたループを通すことが簡易であり、固定された形ではなく可動的に接続することでシャフト２がルアーの進行方向と自ずと平行になり、常にプロペラ３の良い回転が得られる。プレート１を挟んでシャフト２の接続部のおよそ反対側にラインアイ５を設ける。プレート１自体を重くすることでキャスタビリティを得るか、あるいはプレート１にウエイト４を付加する。
図１に示すような形状と配置にした場合、リトリーブ時に本体は振動しながら泳ぎ、安定した姿勢と泳層が得られる。図１に示すような形状と配置にした場合とはすなわち、プレート１の形をおよそ長方形あるいは長方形の四隅を丸めた形とし、一つの長辺の側にラインアイ５を、もう一つの長辺の側にウエイト４およびシャフト２の接続部を配置した場合である。
本体が振動する場合としない場合とで、ルアーとしての特徴はかなり異なったものとなり、振動するほうがルアーの使用感としては断然面白いと思われるのであるが、振動しない場合においても、十分な釣果が得られる。
【考案の効果】
【０００５】  本体の存在感ないしは威圧感をなくして、およそプロペラ３のみを魚に提示することができる。ルアーの泳層のコントロールなどもしやすい。最終的な効果として魚が警戒感なく食い付いてくる。これはスイッシャープラグのプロペラに興味を示しながらも食い付くにはいたらない魚を観察し、それとの反応の違いから知れるところである。
さらに本体を振動させることで釣果が高まる。振動させることと存在感を消すことは相反することのようであるが、実際には静止しているもの、あるいは直線運動するものを魚は見切る傾向にあり、振動させることにより集魚力とバイトの確率は高まる。
【考案を実施するための最良の形態】
【０００６】  図１に示す。プレート１の形については、長方形の四隅を丸めて、
さらに、一つの長辺を長方形の内側へと湾曲させて、長方形の片側が窪んだような形とする。曲ったチェリービーンズにも似ている。あるいはインゲン豆、あるいはいわゆるキドニーシェイプと呼ばれる形である。この窪みを設けると、プレート１はより激しく力強く振動する。窪みの湾曲の加減については幅がある。最適な程度はウエイト４の重さやプロペラ３の大きさなどにより変化する。
ラインアイ５の位置については、プレート１を縦に縦長に置いたとして、その中央よりも下寄りで、窪んでいる側に配置する。プレート１に穴を開けることでラインアイ５となる。
ウエイト４の位置については、ラインアイ５と同様に中央よりも下側、そしてラインアイ５とはプレート１を挟んで反対側に配置する。図１に示したように、プレート１の輪郭からはみだすような形で配置すると動きが激しくなる。ウエイト４の形は様々ありうるが、本質的な機能を実現するためには、球形でよい。
シャフト２を接続する位置は、ラインアイ５の反対側すなわちウエイト４のある側とする。ウエイト４よりも下側に配置したほうが本体の動きを妨げない傾向がある。
ルアーのバランスは一般的にもデリケートであり、本考案においても激しい振動を起こすバランスを設定することはデリケートなことである。図１に示した形と位置関係が最良の形態の一例を示す。
また、ウエイト４とプレート１の大きさの関係もデリケートであり、この関係が崩れてもプレート１はうまく振動しないのであるが、基本的な傾向としては、重いウエイト４に対してはプレート１は大きく、軽いウエイト４に対してはプレート１は小さくして最良のバランスを探すこととなる。
さらに、シャフト２は短すぎると本体が振動しない。また、不安定ながら振動した場合にも今度はプロペラ３が回らない。ある程度の長さをもったシャフト２の存在も、本考案のルアーを振動させプロペラを回すための要素として本質である。この長さの加減も調節して適切な程度を探す性質のものであるが、図１に示したように、だいたい本体のプレート１の長さと同程度が目安となる。
フックアイ６の位置は、シャフト２の末端、本体と接続するほうとは逆の末端とする。プレート１の下端や、シャフト２の本体接続部付近に設けることもできる。
ベアリング用のビーズ７はプロペラ３の回転を良くする。
【実施例】
【０００７】  もっとも単純な形態において、本考案はプレート１とシャフト２とプロペラ３により構成される。ルアーの本体に相当するプレート１は薄い板状のもので、シャフト２はプロペラ３の回転の軸であり両端をループ状とする。プレート１の縁付近に設けた穴にループを通し、プレート１とシャフト２を可動的に接続する。プレート１にもう一つ穴を設けてラインアイ５とする。
プレート１の形状については任意性が高いのであるが、リトリーブ方向に細長くすると沈みがち、逆の場合は水面に浮きがちな傾向となる。実際の実用的な形の例としては、だ円や玉子型がある。長軸方向の両端に、それぞれシャフト接続用の穴とラインアイ用の穴を設ける。また、だ円や長方形のプレートで、その短軸方向の両端に穴を設けると、水面に浮き上がる傾向が極めて強くなる。ルアーの一種のスプーンのような曲面的な形状としてもよいのであるが、回転運動が起こりがちであり糸縒れの原因となる。平らなプレートがむしろ使いやすく実用上十分である。ただデザイン的にはあまりもそっけないので面白みには欠けるかもしれない。
ウエイトを付加することでキャスト時に必要な重量を得ると同時に水中での姿勢を調節できる。ウエイトはプレートの縁につけることもできるし、プレートの片面上に配置してもよい。片面上にウエイトを配置すると、プレートは基本的に水面をすべるように進み、プロペラは水面あるいは水面付近で回転し、集魚効果を生む。ウエイトをラインアイ寄りにすると、後端が浮きがちとなり、プロペラが水面で水しぶきをあげるような設定となる。
プレートをおよそ長方形として長辺の中央付近にラインアイ、向き合う長辺にシャフトの接続部を配置し、その接続部と同じ側の長辺上にウエイトを配置すると、水中においてプレートが激しく振動する現象が起こるようになる。さらにシャフトの長さが適度なものとなったときプロペラの回転とプレートの振動が調和した形で起こるようになる。【０００８】  図１に示す。その詳細は上に述べたものであるが、特に、実施例の一つとしてプレート１を透明にする。むしろ透明であることが本考案の課題および狙いにかなうものであり、実際に好釣果を得ている。
また、プレート１は薄いほうが動きが良い傾向があり、そのためにも、ペットボトルに用いらるペット樹脂と呼ばれる素材は透明であることと割れないことから本考案に適した素材と言える。【０００９】  ウエイト４も透明にする。ガラスはウエイト４として十分な比重がある。さらにシャフト２もプラスチック素材などを用いて透明にすることも考えられる。
さらにプロペラ３も透明にする。透明なプロペラに部分的に色を付けたり金属箔を貼ったりすると、通常のプロペラ以上にその動きが際立って見える。【００１０】  プレート１に色を付ける。部分的に着色する、半透明にする、金属素材にする、ワラビ柄の光沢をもたせるなどして、魚に対するアピールの度合いを加減することができる。魚の活性が高い場合には、派手なほうが有効とされている。【００１１】  図２に示す。図２に示したように、プレート１を縦に縦長に配置した場合におよそ水平に近い角度となる形で、フィン８を設ける。図２に示した姿勢がおよそ水中での姿勢でもある。フィン８の位置はラインアイ５の下側が良い。このフィン８は、キャスティング時の飛行姿勢と、水中での姿勢および泳層を安定させる機能をもつ。このフィン８がない場合には、本考案はキャスティング時に回転することがあり、水中においては浮き上がりやすい傾向をもつ。フィン８により、回転を抑止して潜行深度を保つことができる。また、大きさや角度を変えることで、その効果の程度を加減できる。図２に示すように、進行方向前方すなわちラインアイ５の側に突き出た形にすると効果が高まる。
飛行姿勢が安定するので、針がラインに絡むことの防止にもなる。【００１２】  シャフト２が動く範囲を制限するためのガードを設ける。針がラインに絡むことを防止するためのものであり、シャフト２の接続部を囲むようにワイヤーのリングを取り付けるなど方法がある。あるいは、シャフトの末端をボール状とし、プレート側の接続部にはボールを包む形のソケットを設けるなどの方法もありうる。【００１３】  プロペラ付きのシャフトに代えて、ワーム、ソフトベイト、ペンシルベイト、ジグなどを付けることもできる。すなわち、図１、図２に示す本考案のプレートを振動板として用いる。【００１４】  プロペラの代わりに回転ブレードとする。あるいは、プロペラはそのままで、それに加えてスイベルを介して回転ブレードをプレートに取り付ける。位置はウエイトの上あたりがよい。
【産業上の利用可能性】
【００１５】  そもそも本考案は、トローリングなどに用いる泳層調節用のフィンに似た機能をもつものであり、振動する機能も加えて、本考案のプレートは大型化してトローリング用にも使える。図２に示すタイプにおいては、泳層の調節も可能である。本考案のプレートの後方にルアーばかりでなく生の魚やイカなどを針に掛けて泳がせる、すなわちトローリングするなどの使い方は、利用可能性が高いかもしれない。
【図面の簡単な説明】
【００１６】
【図１】  本考案の斜視図
【図２】  フィンを設けた実施例を示す斜視図
【符号の説明】
【００１７】１  プレート
２  シャフト
３  プロペラ
４  ウエイト
５  ラインアイ
６  フックアイ
７  ビーズ
８  フィン
【図１】
0003169763.tif 000003
【図２】
0003169763.tif 000004
【手続補正書】
【提出日】平成23年5月31日(2011.5.31)
【手続補正１】
【補正対象書類名】実用新案登録請求の範囲
【補正対象項目名】請求項１
【補正方法】変更
【補正の内容】
【請求項１】
薄い板状のプレート１を本体とし、そのプレートの縁に穴を設け、末端をループ状にしたシャフト２のループをプレートの縁の穴に通してシャフト２と本体を可動的に接続し、シャフト２を軸としてプロペラ３を装着したルアー。
【手続補正２】
【補正対象書類名】実用新案登録請求の範囲
【補正対象項目名】請求項５
【補正方法】変更
【補正の内容】
【請求項５】
薄い板状のフィン８を本体のプレート１に直交する形でラインアイ５の付近に設けた、請求項２−４のいずれか一項に記載のルアー。